(57)【要約】【課題】    ロック部材により噛合後のクラッチ歯車の移動を制限し、クラッチ歯車の歯跳びによる伝動時の騒音の発生を防止し、伝動の信頼性を強化した、スロットイン方式の光ディスクドライブ用緊急イジェクト装置の提供。【解決手段】 スロットイン方式の光ディスクドライブ用緊急イジェクト装置は、駆動モータによりウォームギヤが回動され、回動部材の中心孔が筐体に固定され、一端にスライド孔が設けられ、スライド孔の一端に係止溝が形成される。歯車ユニットの第１歯車が中心孔に固定されてウォームギヤと噛合される。クラッチ歯車が回動部材の他端に固定され、第１歯車と噛合される。ロック部材は一端に凸設された摺動柱体がスライド孔に挿入され、他端にガイド斜面が凸設される。バネの弾力で摺動柱体を係止溝内に維持し、係止溝の回動方向上での移動を制限し、クラッチ歯車と筐体に固定された第２歯車の噛合を維持させて歯跳びを防止する。【選択図】  図３
2010146691.tif 000002
【特許請求の範囲】
【請求項１】
スロットイン方式の光ディスクドライブ用緊急イジェクト装置であって、前記スロットイン方式の光ディスクドライブが筐体を備え、
前記筐体に固定され、ウォームギヤを回動させる駆動モータと、
中心孔が前記筐体に回動可能に固定され、一端にスライド孔が設けられ、他端に固定孔が設けられ、前記スライド孔の一端に係止溝が形成された回動部材と、
第１歯車、クラッチ歯車、第２歯車を含み、前記第１歯車が前記中心孔に固定され、前記ウォームギヤと噛合され、前記クラッチ歯車が前記固定孔に固定され、前記第１歯車と噛合され、前記第２歯車が前記筐体に固定され、前記クラッチ歯車と噛合された、歯車ユニットと、
軸孔を利用して前記筐体に回動可能に固定され、一端に前記スライド孔に挿入される摺動柱体が凸設され、他端にガイド斜面が凸設されたロック部材と、
一端が前記駆動モータの側辺に固定され、他端が前記ロック部材のガイド斜面近くの一側に固定されたバネと、 
を含み、そのうち、前記バネの弾力で前記摺動柱体を前記係止溝内に維持し、前記係止溝の回動部材の回動方向上における移動を制限し、前記クラッチ歯車と前記第２歯車に噛合を維持させることを特徴とする、スロットイン方式の光ディスクドライブ用緊急イジェクト装置。
【請求項２】
請求項１に記載のスロットイン方式の光ディスクドライブ用緊急イジェクト装置であって、そのうち前記駆動モータが固定座体上に設置され、前記固定座体の前記駆動モータ側辺に前記バネを固定するためのフック部を設けたことを特徴とする、スロットイン方式の光ディスクドライブ用緊急イジェクト装置。
【請求項３】
請求項１に記載のスロットイン方式の光ディスクドライブ用緊急イジェクト装置であって、そのうち前記ロック部材の前記ガイド斜面端側に前記バネを固定するための湾曲フック部を設けたことを特徴とする、スロットイン方式の光ディスクドライブ用緊急イジェクト装置。
【請求項４】
請求項１に記載のスロットイン方式の光ディスクドライブ用緊急イジェクト装置であって、そのうち前記回動部材が中心孔を軸として両側に向かって角度を有して延伸され、曲がった板状に形成されたことを特徴とする、スロットイン方式の光ディスクドライブ用緊急イジェクト装置。
【請求項５】
請求項１に記載のスロットイン方式の光ディスクドライブ用緊急イジェクト装置であって、そのうち前記スロットイン方式の光ディスクドライブが摺動部材を含み、前記ロック部材が前記摺動部材の下方に配置され、突出する前記ガイド斜面と前記摺動部材の高さが等しいことを特徴とする、スロットイン方式の光ディスクドライブ用緊急イジェクト装置。
【請求項６】
請求項１に記載のスロットイン方式の光ディスクドライブ用緊急イジェクト装置であって、そのうち前記筐体の前記ガイド斜面に相対する位置に緊急イジェクト孔を設けたことを特徴とする、スロットイン方式の光ディスクドライブ用緊急イジェクト装置。
【請求項７】
請求項１に記載のスロットイン方式の光ディスクドライブ用緊急イジェクト装置であって、そのうち前記摺動柱体が前記スライド孔に沿って移動し、前記スライド孔が孔の形を利用して前記回動部材を回動させ、前記クラッチ歯車と前記第２歯車に離脱または噛合を形成させることを特徴とする、スロットイン方式の光ディスクドライブ用緊急イジェクト装置。
【請求項８】
請求項７に記載のスロットイン方式の光ディスクドライブ用緊急イジェクト装置であって、そのうち前記摺動柱体が前記係止溝を離れると、前記回動部材が回動され、前記クラッチ歯車と前記第２歯車の噛合が解除されることを特徴とする、スロットイン方式の光ディスクドライブ用緊急イジェクト装置。
【請求項９】
スロットイン方式の光ディスクドライブ用緊急イジェクト装置であって、前記スロットイン方式の光ディスクドライブが筐体を備え、
前記筐体に固定され、ウォームギヤを回動させる駆動モータと、
中心孔が第１歯車に連結され、前記筐体に回動可能に固定され、前記第１歯車と前記ウォームギヤが噛合され、一端にスライド孔が設けられ、前記スライド孔の一端に係止溝が形成され、他端にクラッチ歯車が設置され、前記第１歯車と噛合された回動部材と、
前記筐体に固定され、前記クラッチ歯車と噛合された第２歯車と、
軸孔を利用して前記筐体に回動可能に固定され、一端に前記スライド孔に挿入される摺動柱体が凸設され、他端にガイド斜面が凸設されたロック部材と、
一端が前記駆動モータの側辺に固定され、他端が前記ロック部材のガイド斜面近くの一側に固定されたバネと、
を含み、そのうち、前記バネの弾力で前記摺動柱体を前記係止溝内に維持し、前記係止溝の回動部材の回動方向上における移動を制限し、前記クラッチ歯車と前記第２歯車に噛合を維持させ、前記係止溝の回動部材の回動方向における前記摺動柱体に対する施力線が前記ロック部材の回動の中心である軸孔に近いことを特徴とする、スロットイン方式の光ディスクドライブ用緊急イジェクト装置。
【請求項１０】
請求項９に記載のスロットイン方式の光ディスクドライブ用緊急イジェクト装置であって、そのうち前記スロットイン方式の光ディスクドライブが摺動部材を含み、前記ロック部材が前記摺動部材の下方に配置され、突出する前記ガイド斜面と前記摺動部材の高さが等しいことを特徴とする、スロットイン方式の光ディスクドライブ用緊急イジェクト装置。
【請求項１１】
請求項９に記載のスロットイン方式の光ディスクドライブ用緊急イジェクト装置であって、そのうち前記筐体の前記ガイド斜面に相対する位置に緊急イジェクト孔を設けたことを特徴とする、スロットイン方式の光ディスクドライブ用緊急イジェクト装置。
【請求項１２】
請求項９に記載のスロットイン方式の光ディスクドライブ用緊急イジェクト装置であって、そのうち前記摺動柱体が前記スライド孔に沿って移動し、前記スライド孔が孔の形を利用して前記回動部材を回動させ、前記クラッチ歯車と前記第２歯車に離脱または噛合を形成させることを特徴とする、スロットイン方式の光ディスクドライブ用緊急イジェクト装置。
【発明の詳細な説明】
【技術分野】
【０００１】
本発明はスロットイン方式の光ディスクドライブに関し、特にスロットイン方式の光ディスクドライブの故障や停電等の異常状況において、手動操作で強制的に光ディスクをイジェクトする、イジェクト装置に関する。
【背景技術】
【０００２】
一般的なスロットイン方式の光ディスクドライブは駆動モータで歯車ユニットを回転させ、摺動部材を前後に直線移動させて、摺動部材のガイド溝により複数のレバーを連動して光ディスクの光ディスクドライブへの出し入れを誘導しており、且つデッキアッセンブリの昇降を連動して光ディスクを保持または解放する。一旦故障または停電すると、摺動部材を駆動して光ディスクをイジェクトできなくなる。
【０００３】
図１に示す先行技術である米国公開第２００７０１２４７４３号特許案のスロットイン方式の光ディスクドライブ１０は、緊急イジェクト装置１１を備え、故障または停電時に光ディスクをイジェクトすることができる。この従来の緊急イジェクト装置１１は歯車ユニット１２中に設置される。歯車ユニット１２の一端の第１歯車１３が駆動モータ１４により回転されるウォームギヤ１５に噛み合わされ、クラッチ歯車１６により他端の第２歯車１７を動かし、該第２歯車１７が摺動部材１８のラック１９に噛み合わされる。駆動モータ１４の正方向と逆方向の回転により、摺動部材１８を光ディスクドライブ１０の前後方向に沿って移動させ、光ディスクの挿入とイジェクトを行わせる。
【０００４】
ウォームギヤ１５と第１歯車１３の噛み合わせにはセルフロック作用があるため、歯車ユニット１２の方向からウォームギヤ１５を回転させることはできない。この従来の緊急イジェクト装置１１は主に回動板２０の一端が回動可能に第１歯車１３の回転軸に枢設され、他端にクラッチ歯車１６が枢設され、クラッチ歯車１６が第１歯車１３に噛み合わされる。バネ２１により回動板２０を一側に偏向させて回動させ、クラッチ歯車１６と第２歯車１７を噛合させ、歯車ユニット１２の伝動を形成する。光ディスクをイジェクトする必要があるときは、ピン２２を利用してバネ２１に対抗し回動板２０を押して逆方向に回動させ、クラッチ歯車１６と第２歯車１７の噛合を解除し、歯車ユニット１２の伝動を中断させ、第２歯車１７及び噛み合わされた摺動部材１８がウォームギヤ１５のセルフロックを受けないようにする。さらにピン２２を深く挿入し、摺動部材１８を押して光ディスクをイジェクトする。
【０００５】
しかしながら、従来の緊急イジェクト装置１１はバネ２１の弾力を利用して回動板２０に枢設されたクラッチ歯車１６と第２歯車１７を噛合させ、歯車ユニット１２の伝動を形成している。歯車ユニット１２が高速で回動したり、光ディスクドライブが衝撃を受けたりすると、クラッチ歯車１６の揺動に歯跳びが生じやすく、伝動の騒音が発生するだけでなく、光ディスクドライブの伝動が不確実になる。バネ２１の弾力を増加して、クラッチ歯車１６と第２歯車１７の噛み合わせを強化した場合、緊急イジェクト時の施力が増大し、イジェクト操作がしにくくなる。このため、先行技術のスロットイン方式の光ディスクドライブの緊急イジェクト装置は、構造上まだ問題があり、解決が待たれている。
【先行技術文献】
【特許文献】
【０００６】
【特許文献１】米国公開第２００７０１２４７４３号明細書
【発明の概要】
【発明が解決しようとする課題】
【０００７】
本発明の目的は、ロック部材により噛合後のクラッチ歯車の移動を制限し、クラッチ歯車の歯跳びによる伝動時の騒音の発生を防止し、伝動の信頼性を強化した、スロットイン方式の光ディスクドライブ用緊急イジェクト装置を提供することにある。
【０００８】
本発明の別の目的は、ガイド斜面の小幅の回動を利用し、ロック部材が容易に回動部材を解放できるようにして、便利に光ディスクを緊急イジェクトできるようにした、スロットイン方式の光ディスクドライブ用緊急イジェクト装置を提供することにある。
【課題を解決するための手段】
【０００９】
前述の発明の目的を達するため、本発明のスロットイン方式の光ディスクドライブ用緊急イジェクト装置は、駆動モータでウォームギヤが回動され、回動部材は中心孔が筐体に固定され、一端にスライド孔が設けられ、他端に固定孔が設けられ、前記スライド孔の一端に係止溝が形成される。歯車ユニットの第１歯車を中心孔に固定し、ウォームギヤと噛合させ、クラッチ歯車を固定孔に固定し、第１歯車と噛合させ、第２歯車を筐体に固定し、クラッチ歯車と噛合させる。ロック部材は軸孔を利用して筐体に固定し、一端に凸設した摺動柱体をスライド孔に挿入し、他端にガイド斜面を凸設する。バネの弾力で摺動柱体を係止溝内に維持させ、係止溝の回動部材の回動方向上での移動を制限し、クラッチ歯車と第２歯車に噛合を維持させる。
【００１０】
スロットイン方式の光ディスクドライブは摺動部材を含み、ロック部材が摺動部材の下方に配置され、突出したガイド斜面と摺動部材の高さが等しいものとする。筐体にはガイド斜面に相対する緊急イジェクト孔を設ける。回動部材の回動方向における係止溝の摺動柱体に対する施力線がロック部材の回動の中心の軸孔に近く、ピンを緊急イジェクト孔に挿入し、小幅にガイド斜面を押し動かすだけで、摺動柱体を前記スライド孔に沿って移動させ、スライド孔が孔の形を利用して前記回動部材を回動させ、クラッチ歯車と第２歯車を動かして離脱または噛合を形成する。
【図面の簡単な説明】
【００１１】
【図１】先行技術のスロットイン方式の光ディスクドライブ用緊急イジェクト装置の部分背面図である。
【図２】本発明の緊急イジェクト装置を設置したスロットイン方式の光ディスクドライブの立体分解図である。
【図３】本発明の緊急イジェクト装置を設置したスロットイン方式の光ディスクドライブの部分上面図である。
【図４】本発明の緊急イジェクト装置の組み立て図である。
【図５】本発明の緊急イジェクト装置の噛合が離脱されたときの上面図である。
【図６】本発明の緊急イジェクト装置のイジェクト時の上面図である。
【発明を実施するための形態】
【００１２】
本発明が上述の目的を達するため、採用する技術手段及美その効果について、最良の実施例を挙げ、図面を組み合わせて以下で詳細に説明する。
【００１３】
図２に本発明の緊急イジェクト装置を設けたスロットイン方式の光ディスクドライブ３０を示す。スロットイン方式の光ディスクドライブ３０は主に本体筐体４０、デッキアッセンブリ５０、摺動部材６０、挿入・イジェクト装置７０、緊急イジェクト装置８０等を含む。そのうち、筐体４０は中空内部を備え、前端に光ディスク(図示しない)を出し入れするための出入口４１が設けられる。筐体４０の底面の出入口４１近くに、上に突起した第１固定柱４２と第２固定柱４３が設置され、且つ出入口４１に沿って取り付け口４４が設けられる。筐体４０の出入口４１側に、緊急イジェクト孔４５を開設する。デッキアッセンブリ５０は筐体４０の中空内部に設置され、一端が出入口４１近くの筐体４０の側辺に枢設され、軸着端５１を形成し、デッキアッセンブリ５０を上下に翻転可能にする。デッキアッセンブリ５０の他端にスピンドルモータ５２が設置され、筐体４０の中央に向かって伸びている。
【００１４】
摺動部材６０は長い棒状であり、筐体４０内部のデッキアッセンブリ５０に隣接した側辺に設置され、複数のガイド溝６１とガイドプレート６２が設けられ、前端底部にラック６３が設置される。挿入・イジェクト装置７０は挿入レバー７１、イジェクトレバー７２、ディスク判定レバー７３及び位置決めレバー７４等の複数のガイドレバーを含み、摺動部材６０のガイド溝６１及びガイドプレート６２により、リンク部材やカム等の機構の駆動を利用して、共同で光ディスクの挿入とイジェクトを導引する。該挿入・イジェクト装置７０が摺動部材６０を利用して光ディスクの挿入・イジェクト機構を作動させるものには多くの先行技術があり、本発明の技術範疇ではないため、ここでは説明を省略する。
【００１５】
本発明の緊急イジェクト装置８０は筐体４０内部の出入口４１近く且つ摺動部材６０の側辺付近に設置され、駆動モータ８１、ロック部材８２、回動部材８３、歯車ユニット８４、バネ８５を含む。そのうち、駆動モータ８１の回転軸にウォームギヤ８７が連結され、駆動モータ８１が固定座体８８上に設置され、固定座体８８は駆動モータ８１の側辺にフック部８９を備えている。ロック部材８２はプレート状であり、中央に軸孔９１が設けられ、一端に摺動柱体９２が凸設され、他端にガイド斜面９３が凸設され、さらに別の端部に湾曲フック部９４が設けられる。
【００１６】
回動部材８３はプレート状であり、中央に中心孔９５が設けられる。回動部材８３の一端にスライド孔９６が開設され、末端部に係止溝９９が形成される。回動部材８３の他端に固定孔１００が設けられる。回動部材８３は中心孔９５を軸として、両側に向かって一定角度を有して延伸され、曲がった板状を成す。歯車ユニット８４は第１歯車１０１、クラッチ歯車１０２、第２歯車１０３等を含み、各歯車は異なる寸法の２つの歯車を同軸で連結して成る。
【００１７】
同時に図２及び図３を参照する。図３に本発明の緊急イジェクト装置８０をスロットイン方式の光ディスクドライブ３０に組み込んだ状態を示す。本発明の緊急イジェクト装置８０の組み立て時は、まず固定座体８８を駆動モータ８１と共に筐体４０の取り付け口４４に固定する。さらにロック部材８２の軸孔９１を駆動モータ８１近くの筐体４０上に回動可能に固定し、ロック部材８２が摺動部材６０の下方に位置して、突出したガイド斜面９３と摺動部材６０がほぼ等しい高さとなり、ガイド斜面９３が緊急イジェクト孔４５に対面する。バネ８５の一端を固定座体８８のフック部８９に固定し、他端をロック部材８２の湾曲フック部９４に固定する。本実施例はフック部の方式でバネ８５の両端を連結しているが、フック部の連結方式に限定されず、半田付けや螺合固定の形式で連結してもよい。
【００１８】
続いて、回動部材８３上のスライド孔９６にロック部材８２の摺動柱体９２を挿入する。回動部材８３の中心孔９５に第１歯車１０１と共に筐体４０の第１固定柱４２を挿入させて回動可能に固定すると、第１歯車１０１とウォームギヤ８７を噛合させることができる。クラッチ歯車１０２を回動部材８３の他端の固定孔１００に固定し、クラッチ歯車１０２と第１歯車１０１の噛合を維持させる。最後に第２歯車１０３を第２固定柱４３に回動可能に固定し、緊急イジェクトしないとき、第２歯車１０３の両側がそれぞれクラッチ歯車１０２、摺動部材６０のラック６３と噛合される。
【００１９】
図４に本発明の緊急イジェクト装置８０の組み立て図を示す。組み立て後、本発明の緊急イジェクト装置８０はバネ８５の弾力を利用し、矢印Ｆの方向にロック部材８２を引っ張って回動させ、ロック部材８２の他端の摺動柱体９２をスライド孔９６の係止溝９９内に進入させて、それを維持する。クラッチ歯車１０２が押されて第２歯車１０３との噛合を離脱する方向に移動されると、回動部材８３が押し動かされて第１固定柱４２を軸としてスライド孔９６を回動させる。スライド孔９６に伴って回動する係止溝９９が、係止溝９９内に保持された摺動柱体９２を押し動かして移動させる。しかし、係止溝９９は回動方向において摺動柱体９２に対し矢印Ｋで示すように施力し、該施力線はロック部材８２の回動中心の軸孔９１に非常に接近しており、ロック部材８２を回動させるトルクは非常に限られ、且つバネ８５が逆方向にロック部材８２を引っ張るため、摺動柱体９２は係止溝９９の回動方向上においてその移動が阻まれ、クラッチ歯車１０２と第２歯車１０３の噛合を維持させて、本発明の歯跳び防止の目的を達する。
【００２０】
図５と図６に本発明の緊急イジェクト装置８０がイジェクトを行う過程を示す。緊急イジェクトを行うとき、図５のようにピン１０４を緊急イジェクト孔４５に挿入すると、緊急イジェクト孔４５に沿ってガイド斜面９３が押され、ガイド斜面９３で側面推力が形成され、ロック部材８２が押し動かされてバネ８５に抵抗し、軸孔９１を中心として回動される。ロック部材８２の回動に伴いピン１０４の挿入ルートからガイド斜面９３が離れ、ピン１０４はガイド斜面９３に沿って継続して深く挿入され、ガイド斜面９３と高さが等しい摺動部材６０に接触する。同時に回動するロック部材８２が、摺動柱体９２をスライド孔９６に沿って係止溝９９から離脱させ、且つスライド孔９６の孔の形状により、回動部材８３を押し動かして回動させ、回動部材８３の他端に位置するクラッチ歯車１０２を矢印Ｇで示す方向に移動させ、第２歯車１０３との噛合から離脱させる。このため、駆動モータ８１の回転軸上のウォームギヤ８７のセルフロック作用はクラッチ歯車１０２のみに作用し、第２歯車１０３では中断される。第２歯車１０３と、それに噛合された摺動部材６０はウォームギヤ８７のセルフロック作用による制限を受けず、自由に移動できるようになる。
【００２１】
図６に示すように、セルフロック作用による制限から解放された摺動部材６０は、ピン１０４の挿入が継続されると、ガイド斜面９３が離れた後にピン１０４に制限され、ピン１０４の側辺に当接し、回動部材８３が回動した状態で、クラッチ歯車１０２と第２歯車１０３に噛合の離脱状態を維持させる。摺動部材６０はピン１０４の推力の下、光ディスクドライブの後方へ向かって押し動かされ、挿入・イジェクト装置７０を動かして、光ディスクを光ディスクドライブからイジェクトすることができる。本実施例は後方へ摺動部材６０を押し動かすものを例としたが、これに限定されず、光ディスクドライブの挿入・イジェクトの伝動方向によって、フックを備えたピン１０４で摺動部材６０を引き出して前方に移動させてもよい。
【００２２】
緊急イジェクト後は、前述の図５及び図６の操作順序と反対に、ピン１０４を抜いてガイド斜面９３をピン１０４の制限から離脱させる。バネ８５によりロック部材８２が回動され、摺動柱体９２がスライド孔９６に沿って係止溝９９へ移動する。スライド孔９６の孔の形を利用し、回動部材８３が回動する。摺動柱体９２が係止溝９９に進入した後、クラッチ歯車１０２と第２歯車１０３が噛合され、ロック部材８２がガイド斜面９３を戻し、ガイド斜面９３が緊急イジェクト孔４５に接近し、緊急イジェクト装置８０に原状を回復させる。
【００２３】
このため、本発明のスロットイン方式の光ディスクドライブ用緊急イジェクト装置は、係止溝により噛合後のクラッチ歯車の移動を制限し、クラッチ歯車と第２歯車の歯跳びを防止し、伝動の信頼性を高めると共に、伝動時の騒音を防止することができる。このほか、本発明のスロットイン方式の光ディスクドライブ用緊急イジェクト装置は、ガイド斜面の小幅の回動を利用して、ロック部材に回動部材を解放させ、クラッチ歯車を第２歯車から離脱させてウォームギヤのセルフロック作用を解除でき、光ディスクの緊急イジェクトの便利な操作という目的を達することができる。
【００２４】
以上の説明は、単に本発明の最良の実施例を説明したのみであり、本発明の範囲は上述の最良の実施例に限られず、本発明の要旨を逸脱しない本発明に基づくあらゆる変更は、本発明の特許請求の範囲に含まれる。
【符号の説明】
【００２５】
３０   スロットイン方式の光ディスクドライブ
４０   筐体
４１   出入口
４２   第１固定柱
４３   第２固定柱
４４   取り付け口
４５   緊急イジェクト孔
５０   デッキアッセンブリ
５１   軸着端
５２   スピンドルモータ
６０   摺動部材
６１   ガイド溝
６２   ガイドプレート
６３   ラック
７０   挿入・イジェクト装置
７１   挿入レバー
７２   イジェクトレバー
７３   ディスク判定レバー
７４   位置決めレバー
８０   緊急イジェクト装置
８１   駆動モータ
８２   ロック部材
８３   回動部材
８４   歯車ユニット
８５   バネ
８７   ウォームギヤ
８８   固定座体
８９   フック部
９１   軸孔
９２   摺動柱体
９３   ガイド斜面
９４   湾曲フック部
９５   中心孔
９６   スライド孔
９９   係止溝
１００   固定孔
１０１   第１歯車
１０２   クラッチ歯車
１０３   第２歯車
１０４   ピン
【図１】
2010146691.tif 000003
【図２】
2010146691.tif 000004
【図３】
2010146691.tif 000005
【図４】
2010146691.tif 000006
【図５】
2010146691.tif 000007
【図６】
2010146691.tif 000008